(57)【要約】    【課題】  一度に多数の土嚢を製作することができる土嚢製作装置を提供することである。    【解決手段】  格子状に配列された隔壁によって形成された多数の区画室（１４）を有し、上方および下方が開放した本体（１２）と、上端が開放し、上端の外周部に設けられた折り返し部に通された紐を引っ張ることによって上端が閉鎖されるように構成され、区画室の各々に配置された土嚢袋と、土嚢袋に土砂を詰め込む際に本体の上に載せる頂板（１６）とを備え、頂板には、本体の上に載せたとき各区画室に対応する箇所に開口（１６ａ）がそれぞれ設けられており、土砂が詰め込まれた土嚢袋の紐に通したパイプを本体上に掛け渡し、本体を吊り上げることによって、土嚢袋の紐を引き締めて土嚢を製作するように構成されていることを特徴とする装置（１０）が提供される。【選択図】  図１
0003124400.tif 000002
【実用新案登録請求の範囲】
【請求項１】
土嚢製作装置であって、
格子状に配列された隔壁によって形成された多数の区画室を有し、上方および下方が開放した本体と、
上端が開放し、上端の外周部に設けられた折り返し部に通された紐を引っ張ることによって上端が閉鎖されるように構成され、前記区画室の各々に配置された土嚢袋と、
土嚢袋に土砂を詰め込む際に前記本体の上に載せる頂板とを備え、前記頂板には、前記本体の上に載せたとき前記各区画室に対応する箇所に開口がそれぞれ設けられており、
土砂が詰め込まれた土嚢袋の紐に通したパイプを前記本体上に掛け渡し、前記本体を吊り上げることによって、土嚢袋の紐を引き締めて土嚢を製作するように構成されていることを特徴とする装置。
【請求項２】
前記区画室の上端の四周が上方に突出した台形状に形作られていることを特徴とする請求項１に記載の装置。
【考案の詳細な説明】
【技術分野】
【０００１】
本考案は一般に、土嚢製作装置に関する。より詳細には、本考案は、一度に多数の土嚢の製作を可能にする土嚢製作装置に関する。
【背景技術】
【０００２】
袋に土砂を詰め込んだ土嚢は、護岸工事を始めとする、各種の建設工事などにおいて必要不可欠なものである。従来、土嚢は、１つ１つの袋に人力で土砂を詰め込むことによって製作されている。
【考案の開示】
【考案が解決しようとする課題】
【０００３】
しかしながら、１つ１つ人力で土嚢を製作すると、時間や労力がかかるうえ、コストも高くなるという課題がある。特に、土嚢は、緊急に大量に必要となる場合が多いため、一度に多数の土嚢を低コストで製作することができる手段が望まれていた。
【０００４】
本考案は、このような状況に鑑みて案出されたものであって、一度に多数の土嚢を製作することができる土嚢製作装置を提供することを目的としている。
【課題を解決するための手段】
【０００５】
本願請求項１に記載の土嚢製作装置は、格子状に配列された隔壁によって形成された多数の区画室を有し、上方および下方が開放した本体と、上端が開放し、上端の外周部に設けられた折り返し部に通された紐を引っ張ることによって上端が閉鎖されるように構成され、前記区画室の各々に配置された土嚢袋と、土嚢袋に土砂を詰め込む際に前記本体の上に載せる頂板とを備え、前記頂板には、前記本体の上に載せたとき前記各区画室に対応する箇所に開口がそれぞれ設けられており、土砂が詰め込まれた土嚢袋の紐に通したパイプを前記本体上に掛け渡し、前記本体を吊り上げることによって、土嚢袋の紐を引き締めて土嚢を製作するように構成されていることを特徴とするものである。
【０００６】
本願請求項２に記載の土嚢製作装置は、請求項１の装置において、前記区画室の上端の四周が上方に突出した台形状に形作られていることを特徴とするものである。
【考案の効果】
【０００７】
本考案の土嚢製作装置によれば、一度に多数の土嚢を迅速に製作することができる。また、本考案の土嚢製作装置は、簡単な構造であるので、装置自体の製造コストや維持コストも安価である。  
【考案を実施するための最良の形態】
【０００８】
次に添付図面を参照して、本考案の好ましい実施の形態に係る土嚢製作装置について詳細に説明する。図１は、本考案の好ましい実施の形態に係る土嚢製作装置を示した分解斜視図である。図１において全体として参照符号１０で示される本考案の好ましい実施の形態に係る土嚢製作装置は、格子状に配列された多数の区画室１４を有し、上方および下方が開放した本体１２を備えている。
【０００９】
より詳細に説明すると、本体１２は、平面視で矩形の全体形状を有しており、矩形の四辺を構成する外壁１２ａの内部を隔壁１２ｂによって格子状に区切ることによって、多数（図示される例では、縦６列、横５列の計３０個）の区画室１４が形成されている。また、本体１２の四隅には、詳細には後述するように、本体１２を吊り上げる際にワイヤを引っ掛けるための吊り上げ部１２ｃが設けられている。なお、本体１２は、鋼材で形成されている。
【００１０】
好ましくは、外壁１２ａおよび隔壁１２ｂの上端は、土嚢袋を引っ掛け易いように、鋸歯状にそれぞれ形作られている。これにより、各区画室１４の上端の四周は各々、上方に突出した台形状になっている。
【００１１】
土嚢製作装置１０は又、土嚢製作時に本体１２の上に載せる頂板１６を備えている。頂板１６は、本体１２よりも僅かに大きな矩形の全体形状を有しており、本体１２の上に載せたとき本体１２の各区画室１４に対応する箇所に開口１６ａがそれぞれ設けられている。各開口１６ａの大きさは、各区画室１４よりも僅かに小さくなるように形作られている。なお、頂板１６も、本体１２と同様に、鋼板で形成されている。
【００１２】
好ましくは、頂板１６には、吊り上げ時にワイヤ等を引っ掛けるための穴１６ｂが設けられている。また、好ましくは、頂板１６の下面には、本体１２からずれないようにするため、アングル材１６ｃが取付けられている。
【００１３】
土嚢製作装置１０は更に、上端が開放し、上端の外周部に設けられた折り返し部１８ａに通された紐１８ｂを引っ張ることによって上端が閉鎖されるように構成された土嚢袋１８を備えている。図３（ａ）は、開放状態の土嚢袋１８を示した図、図３（ｂ）は、閉鎖状態の土嚢袋１８を示した図である。
【００１４】
次に図４を参照して、以上のように構成された土嚢製作装置１０の使用について説明する。まず最初に、土嚢の製作を行う場所に本体１２を置く（図４（ａ）参照）。次いで、本体１２の区画室１４の各々に、土嚢袋１８を配置する（図４（ｂ）参照）。その際、図５に示されるように、土嚢袋１８の上端を各区画室１４の隔壁１２ｂの上端に被せるようにすると、土砂の挿入時に土嚢袋１８が外れにくくなり好都合である。なお、各区画室１４の上端の四周が台形状になっていると、土嚢袋１８を被せるのが容易になる。
【００１５】
次いで、本体１２の上に、各区画室１４と対応する開口１６ａが合致するように、頂板１６を載せる（図４（ｃ）参照）。これにより、土嚢袋１８の上端が頂板１６で固定されることなる。次いで、バックホーのような建設機械などを用いて開口１６ａから土嚢袋１８に土砂を詰め込む（図４（ｄ）参照）。次いで、頂板１６の穴１６ｂに通したワイヤを引き上げることにより、頂板１６を吊り上げる（図４（ｅ）参照）。次いで、各区画室１４の隔壁１２ｂの上端に被せられていた土嚢袋１８の上端を隔壁１２ｂから外し、土嚢袋１８の紐１８ｂを軽く引き絞り、列状の土嚢袋１８の紐１８ｂにパイプを通す。このようにして紐１８ｂを通したパイプを本体１２上に掛け渡す（図４（ｆ）参照）。しかる後、本体１２の吊り上げ部１２ｃにワイヤを引っ掛けて吊り上げると、本体１２上に掛け渡されたパイプも一緒に吊り上げられ、土嚢袋１８の紐１８ｂが土砂の重みにより引き締められるので、土嚢が製作される（図４（ｇ）参照）。最後に、紐１８ｂからパイプを抜き取ると、土嚢が完成する。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
例えば、前記実施の形態では、本体１２に設けられた区画室１４の数が、縦６列、横５列の計３０個であるが、これは単なる例示にすぎず、区画室１４の数を増減してもよい。
【図面の簡単な説明】
【００１８】
【図１】本考案の好ましい実施の形態に係る土嚢製作装置を示した分解斜視図である。
【図２】図１の土嚢製作装置の本体の正面図である。
【図３】図３（ａ）は開放状態の土嚢袋を示した図、図３（ｂ）は閉鎖状態の土嚢袋を示した図である。
【図４】図１の土嚢製作装置を用いて土嚢を製作する一連の工程を示した模式図である。
【図５】土嚢袋の上端が区画室の隔壁の上端に被せられている状態を示した模式図である。
【符号の説明】
【００１９】
１０  土嚢製作装置
１２  本体
１２ａ  外壁
１２ｂ  隔壁
１２ｃ  吊り上げ部
１４  区画室
１６  頂板
１６ａ  開口
１６ｂ  穴
１８  土嚢袋
【図１】
0003124400.tif 000003
【図２】
0003124400.tif 000004
【図３】
0003124400.tif 000005
【図４】
0003124400.tif 000006
【図５】
0003124400.tif 000007